(57)【要約】【課題】組付性を向上するとともに、水はけ性を向上してコスト低減したエバポレータ用受け皿を提供すること。【解決手段】受け皿１をエバポレータ１０と同様の材料で形成して、表面にロー材層を付着することによって、ロー付けしてエバポレータ１０と一体的に結合する。受け皿１の側壁部３に複数の縦リブ４を形成してエバポレータ１０の下流側に配置する。さらに、縦リブ４をエバポレータ１０のチューブ１２の端面に近づけるようにして、チューブ１２を伝わって滴下する水滴を受け取って底壁部２側に落下させることによって排水孔５に水滴を導き、水はけ性を向上する。【選択図】図２
2005003259.tif 000002
【特許請求の範囲】
【請求項１】
エバポレータの下方に配置されて前記エバポレータから滴下する水を回収するエバポレータ用受け皿であって、
前記受け皿は、前記エバポレータと同様の材料で形成されるとともに表面にロー材層が付着され、
前記エバポレータをロー付け組付する際、前記エバポレータと一体的にロー付け加工して形成されることを特徴とするエバポレータ用受け皿。
【請求項２】
前記受け皿には、前記エバポレータから滴下する水滴を下方に導くための複数の縦リブが形成されていることを特徴とする請求項１記載のエバポレータ用受け皿。
【請求項３】
前記縦リブは、前記エバポレータに配設されるチューブに隣接するように配置されていることを特徴とする請求項２記載のエバポレータ用受け皿。
【発明の詳細な説明】
【０００１】
【発明の属する技術分野】
本発明は空気調和装置におけるエバポレータの下方に配置されるエバポレータ用受け皿に関する。
【０００２】
【従来の技術】
一般に、空気調和装置（以下、空調装置という）に配置されるエバポレータは、送風される空気がエバポレータ内を循環する冷媒と熱交換することによって、蒸発して水滴を発生させ、水滴がエバポレータを構成するチューブを伝わって下方に落下する。エバポレータは、通常、車両の車室内に配置されていることから、エバポレータから発生する水滴が床面に落下することは、車両の床面を濡らすこととなって好ましくない。従って、エバポレータから滴下する水滴を回収して所定の位置に排水する受け皿が一般的に空調ユニット内に設けられていた。
【０００３】
例えば、従来のエバポレータ用受け皿３０は、図５に示すように、樹脂製の材料で形成され空調ユニットケースに嵌入してエバポレータの下面を支持するように、断面コ字状に形成され、一方の側壁３１には複数の縦リブ３２が並設するように形成され、チューブから滴下する水滴を下方に導くように配置するとともに、底壁３３及び側壁３１側の一部に跨る排水孔３４が複数に形成されていた。
【０００４】
なお、この従来のエバポレータ用受け皿は、現在、一般的に使用されているものであり、特許文献は発見されていない。
【０００５】
【発明が解決しようとする課題】
しかし、従来のエバポレータ用受け皿３０は、樹脂製の材料で形成され、エバポレータとは別体で形成されていることから、受け皿３０を空調ユニットケースに装着する際、空調ユニットケースの深さが深いことにより、挿入しにくかったりまた挿入途中で落下させたりすることがあり組付性を低下させることとなっていた。また、受け皿３０が、樹脂製で形成され板厚を薄く形成するとともにエバポレータの下部全体を支持するために、長さ方向に長尺状に形成されていることから、長手方向の側壁３１が撓みやすく側壁３１に形成された縦リブ３２の位置がばらつくこととなっていた。そのために、エバポレータを挿入した後、エバポレータからチューブを伝わって滴下する水滴が、離れすぎた受け皿３０の縦リブ３２の一部に伝わることなく落下することとなっていた。
【０００６】
縦リブ３２は、エバポレータの下流側の側壁３１に配置されて、ブロワ装置から吹き付ける空気によって吹き飛ばされる水滴を受けるように形成されているものの、水滴が縦リブに伝わらないと、底壁３３の一部に集中して溜まって水はけ性を低下させたり、水滴を飛散させたりして車両の床面を濡らしてしまうこととなっていた。
【０００７】
本発明は、上述の課題を解決するものであり、組付性を向上してエバポレータから滴下する水滴を確実に下方に導くことのできるエバポレータ用受け皿を提供することを目的とする。
【０００８】
【課題を解決するための手段】
本発明に係るエバポレータ用受け皿では、上記の課題を解決するために、請求項１記載の発明では、受け皿がエバポレータと同様の材料で形成するとともに表面にロー材層が付着されていることから、エバポレータをロー付けで一体的に形成する際、受け皿をエバポレータに針金等で固定させることによって仮組みして加熱炉内に進入させる。加熱炉内ではエバポレータのロー材層と受け皿のロー材層とが融着して一体的に形成することとなるから、受け皿はエバポレータに固着され、エバポレータを空調ユニット内に装着する際に、受け皿はエバポレータに固着されていることから受け皿だけを単独で落下させることがない。また、エバポレータと同様の材料、例えば、アルミニウム製で形成することによって受け皿の側壁部を従来の受け皿より厚くすることができることから、受け皿の側壁部は撓むことなくエバポレータとの間の距離をばらつきなく一定に保つことができて空調ユニットケースに挿入しやすくできる。従って、容易な組付作業で行うことができることから、短時間で正確に行うことができ作業性を向上することができる。
【０００９】
また、請求項２乃至３記載の発明では、請求項１の発明のように、エバポレータとエバポレータ用受け皿とをロー付けによって一体的に形成することによって、エバポレータと受け皿の側壁部とを一定の間隔に保つことができる。この際、複数の縦リブを設けることによって、各縦リブとエバポレータとの距離を隣接した適宜な位置でばらつきなく一定にすることができることから、エバポレータのチューブを伝わって滴下する水滴を、すべての縦リブで受け止めて下方に落下するように導くことができる。従って、水滴を床面に飛散させることなく案内できることから、例えば、受け皿に排水孔を設けることによって、受け皿には水を溜めることなく水はけ性を向上することができる。
【００１０】
【発明の実施の形態】
以下、本発明の一実施形態を図面に基づいて説明する。
【００１１】
実施形態のエバポレータ用受け皿（以下受け皿という）１は、アルミニウム製で表面にロー材層を付着して形成されるとともに、図１に示すように、底壁部２と側壁部３を有して断面Ｌ字状に形成され、側壁部３には縦方向に多数の縦リブ４が並設するように形成され、底壁部２と側壁部３の一部を跨ぐように複数の排水孔５が形成されている。排水孔５は、縦リブ４から滴下して落下した水滴を排水することによって組付ける空調ユニットケースの所定の位置に導くことができ、水を受け皿１の底壁部２に水を溜めることなく水はけ性を向上することとなる。
【００１２】
エバポレータ１０は、図２に示すように、垂直方向に多数並設して冷媒を循環するチューブ１２及び各チューブ１２間に装着されるコルゲートフィン１３を有して配設されるコア部１１と、コア部１１の上下両端部に配置される上タンク部１４と下タンク部１５とを有して構成されている。チューブ１２及び上タンク部１４及び下タンク部１５はいずれも受け皿と同様、アルミニウム製の材料で形成され表面にロー材層を付着して形成されている。
【００１３】
そして、図２〜３に示すように、エバポレータ１０の下面を受け皿１の底壁部２上面に載置させた状態で、加熱炉内に挿入してエバポレータ１０と受け皿１とをロー付けで一体的に形成する。この際、受け皿１の側壁部３を形成していない底壁部２の端面とエバポレータ１０の上流側端面（図３中、左端）とを略一致させ、受け皿１の縦リブ４をエバポレータ１０の下流側に配置した状態で、縦リブ４をエバポレータ１０の下流側端面に近づけて、エバポレータ１０のチューブ１３側端面と縦リブ４端面との隙間を小さくして配置する。
【００１４】
なお、実施形態においては、エバポレータ１０を２列に並設して受け皿１を２列のエバポレータ１０を載置可能に形成して組付けることとする。
【００１５】
ロー付けを行う場合、エバポレータ１０のチューブ１２、コルゲートフィン１３、上タンク部１４、下タンク部１５を所定の位置に配置し、受け皿を下タンク部１５の下面側に当接するように配置させ、全体を、例えば針金を巻き付けるようにして仮組みする。そして、図４に示すように、トレイ２０に、エバポレータ１０と受け皿１とを仮組みしたエバポレータ組１０Ａを複数セットして載置させる。
【００１６】
ロー付け工程においては、コンベア２１上に、多数のエバポレータ組１０Ａを載置させたトレイ２０を配置させ、加熱炉２２内に進入させる。加熱炉２２では、約４００℃以上に加熱することによってチューブ１２と上下タンク部１４・１５、及び下タンク部１５と受け皿１の底壁部２に付着されているロー材が溶融してエバポレータ１０及び受け皿１を一体的に結合させる。
【００１７】
加熱炉２２内を通過したトレイ２０が、加熱路２２内から排出することによって、各エバポレータ組１０Ａは自然冷却されることによってエバポレータ１０に受け皿が一体的に固着され、巻き付けていた針金を除去することによってエバポレータ組１０Ａとして形成されることとなる。
【００１８】
上記のように形成されたエバポレータ組１０Ａは、図示しない空調ユニットのケース内の所定の位置に挿入されると、受け皿１の長手方向に沿った両端面でケースに支持されて位置決めされる。そして、チューブ１２内を冷媒が循環すると、上流側から送風される空気は、エバポレータで熱交換され、冷えた空気をユニットケースの下流側に送るとともに、エバポレータで蒸発した水滴がチューブ１２を伝わって滴下する。滴下する水滴は、送風される空気によって受け皿の縦リブ４に移り、受け皿１の底壁部２に向かって滴下する。底壁部２には排水孔５が形成されていることから、縦リブ４を伝わって滴下する水滴は、排水孔５から空調ユニットケースの排水口に流れて排水される。従って、受け皿１には水が溜まることなく水はけ性を向上することとなる。
【００１９】
上述のように、実施形態のエバポレータ用受け皿１によれば、受け皿１は、表面にロー材層を有してエバポレータ１０と同様の材料で形成されるとともに、エバポレータ１０と仮組みした状態で、加熱炉２２内で加熱されることによって、エバポレータ１０と一体的に結合して形成される。
【００２０】
受け皿１が、エバポレータ１０と一体的に結合されることから、従来のようなコ字状に形成してエバポレータを支持することなく、上述の形態のようにＬ字状に形成して小さくすることができるとともに複雑な形状から簡単な形状に形成できることとなる。従って、材料費及び型費を廉価にしてコストを低減することができるとともに、空調ユニットケース内に挿入する際、エバポレータ組１０Ａとして挿入することによってエバポレータ１０と受け皿１とを同時に組み込むことができることから、受け皿１を単独で挿入する際に発生しやすい落下事象を起こすことなく組付性を向上できる。
【００２１】
さらに、受け皿１をエバポレータ１０と同様のアルミニウム製の材料で形成することによって、受け皿１の側壁部３を厚く形成できることから、長尺状に形成しても撓みにくく、特に側壁部３に形成された縦リブ４をエバポレータ１０のチューブ１２にばらつきなく近づけることができ、チューブ１２を伝わってきた水滴を縦リブ４で受け取ることができて、縦リブ４から滴下する水滴を底壁部に導いて排水孔５から空調ユニットケースの所定の位置に流すことができることから、水が受け皿１の底壁部状に溜まることなく水はけ性を向上することができる。
【００２２】
なお、本発明のエバポレータ用受け皿は、上記の形態に限定するものではなく、例えば、従来のようにコ字状に形成してもよく、また縦リブの本数は限定されるものではなく、排水孔の個数や大きさも限定するものではない。
【図面の簡単な説明】
【図１】本発明の一形態による受け皿を示す斜視図である。
【図２】図１における受け皿をエバポレータに結合したエバポレータ組を示す斜視図である。
【図３】図２における側面図である。
【図４】エバポレータ組をトレイに載置して加熱炉内に挿通する状態を示す作用図である。
【図５】従来のエバポレータ用受け皿を示す斜視図である。
【符号の説明】
１  受け皿
２  底壁部
３  側壁部
４  縦リブ
５  排水孔
１０  エバポレータ
１２  チューブ
１３  コルゲートフィン
１４  上タンク部
１５  下タンク部
２２  加熱炉
【図１】
2005003259.tif 000003
【図２】
2005003259.tif 000004
【図３】
2005003259.tif 000005
【図４】
2005003259.tif 000006
【図５】
2005003259.tif 000007